(57)【要約】      （修正有）【課題】原子炉格納容器内の原子炉容器等の重量物を、クレーンガーダを使用することなく撤去および据え付けることができる、重量物の取扱方法を提供する。【解決手段】原子炉容器４の設置位置の作業床３上に、４基の伸縮式重量物昇降装置５を設置位置を取り囲むように組み立て、隣接する重量物昇降装置５の頂部間にジャッキ受け梁６を張り渡し、ジャッキ受け梁６にセンターホールジャッキ７を介して昇降ステージ８を設置し、原子炉格納容器１内に原子炉容器４を据え付ける際には、原子炉容器４を原子炉格納容器１外から作業床３上に横倒しの状態で搬入し、原子炉容器４と昇降ステージ８とを連結し、重量物昇降装置５とセンターホールジャッキ７とにより昇降ステージ８を上昇させ、原子炉容器４を作業床３上に立て起こし、重量物昇降装置５とセンターホールジャッキ７とにより昇降ステージ８を下降させ、原子炉容器４を設置位置に吊り下ろし、据え付ける。【選択図】図２
2016045040.tif 000002
【特許請求の範囲】
【請求項１】
原子炉格納容器内の重量物の取扱方法において、
前記重量物の設置位置の前記原子炉格納容器内の作業床上に、複数基の伸縮式重量物昇降装置を前記設置位置を取り囲むようにそれぞれ対向させて組み立て、隣接する前記重量物昇降装置の頂部間にジャッキ受け梁を張り渡し、前記ジャッキ受け梁にセンターホールジャッキを介して昇降ステージを設置し、前記原子炉格納容器内に前記重量物を据え付ける際には、前記重量物を前記原子炉格納容器外から前記作業床上に横倒しの状態で搬入し、次いで、前記重量物と前記昇降ステージとを連結し、次いで、前記重量物昇降装置と前記センターホールジャッキとにより前記昇降ステージを上昇させて、前記重量物を前記作業床上に立て起こし、そして、前記重量物昇降装置と前記センターホールジャッキとにより前記昇降ステージを下降させて、前記重量物を前記設置位置に吊り下ろし、据え付けることを特徴とする、原子炉格納容器内の重量物の取扱方法。
【請求項２】
原子炉格納容器内の重量物の取扱方法において、
前記重量物の設置位置の前記原子炉格納容器内の作業床上に、複数基の伸縮式重量物昇降装置を前記設置位置を取り囲むようにそれぞれ対向させて組み立て、隣接する前記重量物昇降装置の頂部間にジャッキ受け梁を張り渡し、前記ジャッキ受け梁にセンターホールジャッキを介して昇降ステージを設置し、前記原子炉格納容器内から前記重量物を撤去する際には、前記重量物昇降装置と前記センターホールジャッキとにより前記昇降ステージを下降させて、前記重量物と前記昇降ステージとを連結し、次いで、前記重量物昇降装置と前記センターホールジャッキとにより前記昇降ステージを上昇させて、前記重量物を前記作業床上に吊り上げ、次いで、前記重量物昇降装置と前記センターホールジャッキとにより前記昇降ステージを下降させながら前記重量物を前記作業床上に横倒しし、そして、前記重量物を前記原子炉格納容器外に搬出することを特徴とする、原子炉格納容器内の重量物の取扱方法。
【請求項３】
前記重量物と前記昇降ステージとを吊り板を介して、前記重量物が前記吊り板との連結部を中心として自在に旋回するように取り付けることを特徴とする、請求項１または２に記載の、原子炉格納容器内の重量物の取扱方法。
【請求項４】
前記重量物は、原子炉容器であることを特徴とする、請求項１から３の何れか１つに記載の、原子炉格納容器内の重量物の取扱方法。
【発明の詳細な説明】
【技術分野】
【０００１】
この発明は、原子炉格納容器内の重量物の取扱方法、特に、原子炉格納容器内に設置された重量物をポーラクレーンに補助トロリを設置することなく容易に据え付け、あるいは、撤去することができる、原子炉格納容器内の重量物の取扱方法に関するものである。
【背景技術】
【０００２】
原子炉格納容器内に重量物としての蒸気発生器を据え付ける方法が特許文献１に開示されている。以下、この据え付け方法を従来技術といい、図面を参照しながら説明する。
【０００３】
図１５は、従来技術による蒸気発生器の据え付け方法を示す断面図である。
【０００４】
図１５に示すように、従来技術は、原子炉格納容器２１内に設置されたポーラクレーン２２のクレーンガーダ２３上に、ワイヤ巻取機２４が搭載された既設トロリ２５以外に、センターホールジャッキ２６およびストランド巻取機２７とが搭載された補助トロリ２８を新たに設置し、既設トロリ２５と補助トロリ２８とを使用して蒸気発生器２９を据え付ける方法である。
【０００５】
上記従来技術により蒸気発生器２９を据え付けるには、先ず、図中、一点鎖線で示すように、補助トロリ２８のセンターホールジャッキ２６に取り付けた吊ビーム３０を、原子炉格納容器２１内の蒸気発生器２９の上部のトラニオン３１に連結するとともに、既設トロリ２５の吊りフック３２を蒸気発生器２９の下部の吊り金具３３に連結する。蒸気発生器２９は、原子炉格納容器２１の作業床３４上に搬入された台車３５上に横倒しされている。
【０００６】
次いで、補助トロリ２８のセンターホールジャッキ２６と既設トロリ２５のワイヤ巻取機２４とにより、台車３５上に横倒しされた蒸気発生器２９を水平状態で吊り上げ、この後、台車３５を原子炉格納容器２１外に退出させる。
【０００７】
次いで、蒸気発生器２９をそのまま立て起こしても、蒸気発生器２９の最下部が作業床３４に触れない高さになるまで、補助トロリ２８のセンターホールジャッキ２６と既設トロリ２５のワイヤ巻取機２４とを操作する。
【０００８】
次いで、既設トロリ２５を補助トロリ２８側に、吊りフック３２がほぼ鉛直になるまで移動させ、補助トロリ２８のセンターホールジャッキ２６を操作して、蒸気発生器２９を立て起こす。
【０００９】
次いで、吊りフック３２を吊り金具３３から切り離し、蒸気発生器２９を鉛直に吊り下げた状態でクレーンガータ２３の旋回と補助トロリ２８の横行とによって蒸気発生器２９を据え付け位置の真上まで移動させる。
【００１０】
そして、補助トロリ２８のセンターホールジャッキ２６により蒸気発生器２９を吊り下ろして、図中、一点鎖線で示すように蒸気発生器２９を原子炉格納容器２１内に据え付ける。
【先行技術文献】
【特許文献】
【００１１】
【特許文献１】特許第３０５３５４７号公報
【特許文献２】特開２００９−１０２９７２号公報
【特許文献３】特許第２８２８４３０号公報
【発明の概要】
【発明が解決しようとする課題】
【００１２】
上述した従来技術は、以下のような問題を有していた。
【００１３】
原子炉格納容器２１内の重量物としての原子炉容器は、蒸気発生器２９に比べて重量があるので、従来技術では取り扱うことができないおそれがある。これは、補助トロリ２８の吊り上げ能力を増強しても、クレーンガーダ２３自体の強度が不足するためである。
【００１４】
従って、この発明の目的は、原子炉格納容器内の原子炉容器等の重量物を、クレーンガーダを使用することなく撤去および据え付けることができる、原子炉格納容器内の重量物の取扱方法を提供することにある。
【課題を解決するための手段】
【００１５】
この発明は、上記目的を達成するためになされたものであり、下記を特徴とするものである。
【００１６】
請求項１に記載の発明は、原子炉格納容器内の重量物の取扱方法において、前記重量物の設置位置の前記原子炉格納容器内の作業床上に、複数基の伸縮式重量物昇降装置を前記設置位置を取り囲むようにそれぞれ対向させて組み立て、隣接する前記重量物昇降装置の頂部間にジャッキ受け梁を張り渡し、前記ジャッキ受け梁にセンターホールジャッキを介して昇降ステージを設置し、前記原子炉格納容器内に前記重量物を据え付ける際には、前記重量物を前記原子炉格納容器外から前記作業床上に横倒しの状態で搬入し、次いで、前記重量物と前記昇降ステージとを連結し、次いで、前記重量物昇降装置と前記センターホールジャッキとにより前記昇降ステージを上昇させて、前記重量物を前記作業床上に立て起こし、そして、前記重量物昇降装置と前記センターホールジャッキとにより前記昇降ステージを下降させて、前記重量物を前記設置位置に吊り下ろし、据え付けることに特徴を有するものである。
【００１７】
請求項２に記載の発明は、原子炉格納容器内の重量物の取扱方法において、前記重量物の設置位置の前記原子炉格納容器内の作業床上に、複数基の伸縮式重量物昇降装置を前記設置位置を取り囲むようにそれぞれ対向させて組み立て、隣接する前記重量物昇降装置の頂部間にジャッキ受け梁を張り渡し、前記ジャッキ受け梁にセンターホールジャッキを介して昇降ステージを設置し、前記原子炉格納容器内から前記重量物を撤去する際には、前記重量物昇降装置と前記センターホールジャッキとにより前記昇降ステージを下降させて、前記重量物と前記昇降ステージとを連結し、次いで、前記重量物昇降装置と前記センターホールジャッキとにより前記昇降ステージを上昇させて、前記重量物を前記作業床上に吊り上げ、次いで、前記重量物昇降装置と前記センターホールジャッキとにより前記昇降ステージを下降させながら前記重量物を前記作業床上に横倒しし、そして、前記重量物を前記原子炉格納容器外に搬出することに特徴を有するものである。
【００１８】
請求項３に記載の発明は、請求項１または２に記載の発明において、前記重量物と前記昇降ステージとを吊り板を介して、前記重量物が前記吊り板との連結部を中心として自在に旋回するように取り付けることに特徴を有するものである。
【００１９】
請求項４に記載の発明は、請求項１から３の何れか１つに記載の発明において、前記重量物は、原子炉容器であることに特徴を有するものである。
【発明の効果】
【００２０】
この発明によれば、原子炉格納容器内に設置された原子炉容器等の重量物をポーラクレーンに補助トロリを設置することなく容易に据え付け、あるいは、撤去することができる。
【図面の簡単な説明】
【００２１】
【図１】この発明により原子炉容器を据え付ける際の、作業床上に横倒しされた原子炉容器を立て起こすまでの状態を示す正面図である。
【図２】この発明により原子炉容器を据え付ける際の、作業床上に横倒しされた原子炉容器を立て起こすまでの状態を示す側面図である。
【図３】この発明により原子炉容器を据え付ける際の、原子炉容器を作業床上に立て起こした状態を示す正面図である。
【図４】この発明により原子炉容器を据え付ける際の、原子炉容器を作業床上に立て起こした状態を示す側面図である。
【図５】この発明により原子炉容器を据え付ける際の、原子炉容器を設置位置に吊り下ろした状態を示す正面図である。
【図６】この発明により原子炉容器を据え付ける際の、原子炉容器を設置位置に吊り下ろした状態を示す側面図である。
【図７】重量物昇降装置を示す正面図である。
【図８】重量物昇降装置を示す平面図である。
【図９】この発明により原子炉容器を撤去する際の、原子炉容器と昇降ステージとを連結した状態を示す正面図である。
【図１０】この発明により原子炉容器を撤去する際の、原子炉容器と昇降ステージとを連結した状態を示す側面図である。
【図１１】この発明により原子炉容器を撤去する際の、原子炉容器を作業床上に吊り上げた状態を示す正面図である。
【図１２】この発明により原子炉容器を撤去する際の、原子炉容器を作業床上に吊り上げた状態を示す側面図である。。
【図１３】この発明により原子炉容器を撤去する際の、原子炉容器を作業床上に横倒しする状態を示す正面図である。
【図１４】この発明により原子炉容器を撤去する際の、原子炉容器を作業床上に横倒しする状態を示す側面図である。
【図１５】従来技術による蒸気発生器の据え付け方法を示す断面図である。
【発明を実施するための形態】
【００２２】
この発明の、原子炉格納容器内の重量物の取扱方法の一実施態様を、重量物として原子炉容器を例に挙げて、図面を参照しながら説明する。
【００２３】
図１は、この発明により原子炉容器を据え付ける際の、作業床上に横倒しされた原子炉容器を立て起こすまでの状態を示す正面図、図２は、この発明により原子炉容器を据え付ける際の、作業床上に横倒しされた原子炉容器を立て起こすまでの状態を示す側面図、図３は、この発明により原子炉容器を据え付ける際の、原子炉容器を作業床上に立て起こした状態を示す正面図、図４は、この発明により原子炉容器を据え付ける際の、原子炉容器を作業床上に立て起こした状態を示す側面図、図５は、この発明により原子炉容器を据え付ける際の、原子炉容器を設置位置に吊り下ろした状態を示す正面図、図６は、この発明により原子炉容器を据え付ける際の、原子炉容器を設置位置に吊り下ろした状態を示す側面図である。
【００２４】
図１から図６において、１は、原子炉格納容器、２は、原子炉格納容器１内に設置されたポーラクレーン、３は、原子炉格納容器１内の作業床、４は、原子炉容器、５は、伸縮式重量物昇降装置である。重量物昇降装置５は、原子炉容器４の設置位置の周囲の作業床３上にそれぞれ対向させて４基、組み立てられている。なお、重量物昇降装置５の設置台数は、４基に限定されない。６は、隣接する重量物昇降装置５の頂部間に張り渡された一対のジャッキ受け梁、７は、ジャッキ受け梁６に設置されたセンターホールジャッキである。センターホールジャッキ７は、各ジャッキ受け梁６の内側に２台、計４台設置されている。８は、センターホールジャッキ７により間欠的に昇降する昇降ステージである。
【００２５】
重量物昇降装置２としては、例えば、特許文献２に開示されている重量物昇降装置を使用する。以下、重量物昇降装置２を、図面を参照しながら説明する。
【００２６】
図７は、重量物昇降装置を示す正面図、図８は、重量物昇降装置を示す平面図である。
【００２７】
図７および図８に示すように、重量物昇降装置５は、外側支柱９Ａ、中間支柱９Ｂ、内側支柱９Ｃが入れ子式に且つそれぞれ複数台の外側昇降手段１０Ａ、内側昇降手段１０Ｂにより昇降可能に組み立てられ、内側支柱９Ｃの頂部間に上述したジャッキ受け梁６が張り渡されている。
【００２８】
外側昇降手段１０Ａおよび内側昇降手段１０Ｂは、例えば、特許文献３に開示されたセンターホールジャッキからなっている。このジャッキについては、後述する。
【００２９】
外側昇降手段１０Ａは、中間支柱９Ｂの上下端間に張り渡された外側ストランド１１Ａと、外側支柱９Ａに固定された、油圧ポンプにより伸縮可能な外側ジャッキ本体１２Ａとからなっている。外側ジャッキ本体１２Ａは、可動側に設けられる第１把持手段と、外側ジャッキ本体１２Ａの固定側に取り付けられる第２把持手段とを備え、外側ジャッキ本体１２Ａの伸張時に、前記第１把持手段は、外側ストランド１１Ａを把持し、これと同時に前記第２把持手段は、外側ストランド１１Ａの把持を解放し、一方、外側ジャッキ本体１２Ａの縮小時に、前記第１把持手段は、外側ストランド１１Ａの把持を解放し、これと同時に前記第２把持手段は、外側ストランド１１Ａを把持し、かくして、外側ジャッキ本体１２Ａの伸縮によって内側支柱９Ｂは、外側支柱９Ａに対して内側支柱９Ｃと共に間歇的に昇降する。
【００３０】
内側昇降手段１０Ｂは、内側支柱９Ｃの上下端間に張り渡された内側ストランド１１Ｂと、中間支柱９Ｂに固定された、油圧ポンプにより伸縮可能な内側ジャッキ本体１２Ｂとからなっている。内側ジャッキ本体１２Ｂは、可動側に設けられる第１把持手段と、内側ジャッキ本体１２Ｂの固定側に取り付けられる第２把持手段とを備え、内側ジャッキ本体１２Ｂの伸張時に、前記第１把持手段は、内側ストランド１１Ｂを把持し、これと同時に前記第２把持手段は、内側ストランド１１Ｂの把持を解放し、一方、内側ジャッキ本体１２Ｂの縮小時に、前記第１把持手段は、内側ストランド１１Ｂの把持を解放し、これと同時に前記第２把持手段は、内側ストランド１１Ｂを把持し、かくして、内側ジャッキ本体１２Ｂの伸縮によって内側支柱９Ｃは、中間支柱９Ｂに対して間歇的に昇降する。これらの昇降は、各支柱９Ａ、９Ｂ、９Ｃ間に取り付けられたチルタンク等からなるガイド部材１３によって円滑に行われる。
【００３１】
このようにして、中間支柱９Ｂは、外側支柱９Ａに対して内側支柱９Ｃと共に昇降し、内側支柱９Ｃは、中間支柱９Ｂに対して昇降する。
【００３２】
センターホールジャッキ７は、上述した外側昇降手段１０Ａおよび内側昇降手段１０Ｂと同様な構造のものである。すなわち、ジャッキ受け梁６の下面に上端を固定したストランド１４と、ストランド１４に沿って間欠的に昇降するジャッキ本体１５とからなり、ジャッキ本体１５に昇降ステージ８が取り付けられている。従って、４台のセンターホールジャッキ７を同期させて操作することによって、昇降ステージ８は、水平状態を維持しながら昇降する。
【００３３】
次に、この発明により原子炉格納容器内に原子炉容器を据え付ける方法について、説明する。
【００３４】
先ず、図１および図２に示すように、原子炉容器４の設置位置の原子炉格納容器１内の作業床３上に、４基の伸縮式重量物昇降装置５を前記設置位置を取り囲むように組み立てる。
【００３５】
次いで、隣接する重量物昇降装置５の頂部間、すなわち、重量物昇降装置５の内側支柱９Ｃの頂部間にジャッキ受け梁６を張り渡し、ジャッキ受け梁６にセンターホールジャッキ７を設置し、センターホールジャッキ７のジャッキ本体１５に昇降ステージ８を設置する（図１、図２参照）。
【００３６】
次いで、原子炉容器４を原子炉格納容器１外から作業床３上に横倒しの状態で搬入する（図１、図２参照）。
【００３７】
次いで、原子炉容器４と昇降ステージ８とを吊り板１６を介して連結する。すなわち、原子炉容器４と吊り板１６とを原子炉容器４が吊り板１６との連結部を中心として自在に旋回するように取り付ける（図１、図２参照）。
【００３８】
次いで、重量物昇降装置５とセンターホールジャッキ７とにより昇降ステージ８を上昇させて、原子炉容器４を原子炉容器４の設置位置の作業床３上に立て起こす（図１から図４参照）。
【００３９】
そして、図５および図６に示すように、重量物昇降装置５とセンターホールジャッキ７とにより昇降ステージ８を下降させて、原子炉容器４を前記設置位置に吊り下ろし、据え付ける。
【００４０】
以上のようにして、この発明により原子炉格納容器１内に原子炉容器４を据え付けることができる。
【００４１】
次に、この発明により原子炉格納容器内から原子炉容器を撤去する方法について、説明する。なお、図１から図６における番号と同一番号は、同一物を示す。
【００４２】
先ず、図９および図１０に示すように、原子炉容器４の設置位置の原子炉格納容器１内の作業床３上に、４基の伸縮式重量物昇降装置５を前記設置位置を取り囲むように組み立てる。
【００４３】
次いで、隣接する重量物昇降装置５の頂部間、すなわち、重量物昇降装置５の内側支柱９Ｃの頂部間にジャッキ受け梁６を張り渡し、ジャッキ受け梁６にセンターホールジャッキ７を設置し、センターホールジャッキ７のジャッキ本体１５に昇降ステージ８を設置する（図９、図１０参照）。
【００４４】
次いで、重量物昇降装置５とセンターホールジャッキ７とにより昇降ステージ８を下降させて、原子炉容器４と昇降ステージ８とを吊り板１６を介して連結する。すなわち、原子炉容器４と吊り板１６とを原子炉容器４が吊り板１６との連結部を中心として自在に旋回するように取り付ける（図９、図１０参照）。
【００４５】
次いで、図１１および図１２に示すように、重量物昇降装置５とセンターホールジャッキ７とにより昇降ステージ８を上昇させて、原子炉容器４を作業床３上に吊り上げる。
【００４６】
次いで、図１３および図１４に示すように、重量物昇降装置５とセンターホールジャッキ７とにより昇降ステージ８を下降させながら原子炉容器４を作業床３上に横倒しする。
【００４７】
そして、原子炉容器４を原子炉格納容器１外に搬出する。なお、原子炉容器４を原子炉格納容器１外に搬出するには、例えば、原子炉容器４を作業床３に搬入した台車（図示せず）に乗せて搬出する。
【００４８】
以上のようにして、この発明により原子炉格納容器１内から原子炉容器４を撤去することができる。
【００４９】
以上説明したように、この発明によれば、重量物としての原子炉容器４の設置位置の原子炉格納容器１内の作業床３上に、複数基の伸縮式重量物昇降装置５を前記設置位置を取り囲むようにそれぞれ対向させて組み立て、隣接する重量物昇降装置５の頂部間にジャッキ受け梁６を張り渡し、ジャッキ受け梁６にセンターホールジャッキ７を介して昇降ステージ８を設置し、原子炉容器４と昇降ステージ８とを吊り板１６を介して連結する。すなわち、原子炉容器４と吊り板１６とを原子炉容器４が吊り板１６との連結部を中心として自在に旋回するように取り付けることによって、原子炉格納容器１内に設置された原子炉容器４をポーラクレーンに補助トロリを設置することなく容易に据え付け、あるいは、撤去することができる。
【００５０】
なお、この発明により取り扱う重量物は、原子炉容器４以外の重量物であっても良いことは勿論である。
【符号の説明】
【００５１】
１：原子炉格納容器
２：ポーラクレーン
３：作業床
４：原子炉容器
５：重量物昇降装置
６：ジャッキ受け梁
７：センターホールジャッキ
８：昇降ステージ
９Ａ：外側支柱
９Ｂ：中間支柱
９Ｃ：内側支柱
１０Ａ：外側昇降手段
１０Ｂ：外側昇降手段
１１Ａ：外側ストランド
１１Ｂ：内側ストランド
１２Ａ：外側ジャッキ本体
１２Ｂ：内側ジャッキ本体
１３：ガイド部材
１４：ストランド
１５：ジャッキ本体
１６：吊り板
２１：原子炉格納容器
２２：ポーラクレーン
２３：クレーンガータ
２４：ワイヤ巻取機
２５：既設トロリ
２６：センターホールジャッキ
２７：ストランド巻取機
２８：補助トロリ
２９：蒸気発生器
３０：吊りビーム
３１：トラニオン
３２：吊りフック
３３：吊り金具
３４：作業床
３５：台車
【図１】
2016045040.tif 000003
【図２】
2016045040.tif 000004
【図３】
2016045040.tif 000005
【図４】
2016045040.tif 000006
【図５】
2016045040.tif 000007
【図６】
2016045040.tif 000008
【図７】
2016045040.tif 000009
【図８】
2016045040.tif 000010
【図９】
2016045040.tif 000011
【図１０】
2016045040.tif 000012
【図１１】
2016045040.tif 000013
【図１２】
2016045040.tif 000014
【図１３】
2016045040.tif 000015
【図１４】
2016045040.tif 000016
【図１５】
2016045040.tif 000017